(57)【要約】      （修正有）【課題】予め用意された背景画と写真とを組み合わせたペット用骨壺に貼るシートを提供する。【解決手段】ペット用骨壺Ｕに貼るシート１００であって、予め用意された複数の背景画から選択された任意の背景画１２が印刷され、同時に、生前のペットの画像１１が印刷され、粘着性または可燃性を有する。【選択図】図１
0003204093.tif 000002
【実用新案登録請求の範囲】
【請求項１】
ペット用骨壺に貼るシートであって、
予め用意された複数の背景画から選択された任意の背景画が印刷され、
同時に、生前のペットの画像が印刷された、粘着性または可燃性を有するシートであることを特徴とするペット用骨壺に貼るシート。
【請求項２】
前記印刷された背景画及び前記画像のいずれか一方または双方は、イラストにより描かれたものであることを特徴とする請求項１記載のペット用骨壺に貼るシート。
【請求項３】
シートの大きさが、ペット用骨壺のサイズに合わせたことを特徴とする請求項１または２記載のペット用骨壺に貼るシート。
【考案の詳細な説明】
【技術分野】
【０００１】
本考案は、愛玩用動物、例えば、ペットの骨壺に貼るシートに関する。とりわけ、予め用意された背景画と写真とを組み合わせたペット用骨壺に貼るシートに関する。
【背景技術】
【０００２】
ペットブームの昨今、人間の死亡の時に使用される骨壺と同じく、ペットにも骨壺を使用する人が増えている。その際、骨壺の表面に、ペットの写真を貼ることで、ペットをより一層偲ぶことができる。
【０００３】
このような背景から、ペットの写真、又は思い出などの写真を印刷又は転写した骨壺に関する発明が提案されている（特許文献１参照）。
【先行技術文献】
【特許文献】
【０００４】
【特許文献１】特開平８−２６６５７８号
【考案の概要】
【考案が解決しようとする課題】
【０００５】
このような骨壺を採用すれば、ペット用納骨所で、限られたスペースに、骨壺の脇に、別途、ペットの写真を納めた額縁等を置く必要がなくなる点でメリットがある。しかしながら、このような骨壺は高価であることが多い。骨壺とは別途に、ペットの写真を販売することができれば、より需要者の間に選択枝が広がることとなる。
【０００６】
そこで、予め、ペット用の大きさに備えたシートを用意して、そこに写真や背景画を印刷したシートを提供する。また、写真だけだと、味気ないことも考え、予め、いくつかの背景画、例えば、フォーマル、ポップ、ゴージャス、シック、レトロ等に分けたものを用意して、需要者に選択させることも可能にする。  
【課題を解決するための手段】
【０００７】
本考案では、ペット用骨壺に貼るシートであって、予め用意された複数の背景画から選択された任意の背景画が印刷され、同時に、生前のペットの画像が印刷された粘着性また可燃性のシートを特徴とする。
【０００８】
また、印刷された背景画及びペットの画像のいずれか一方又は双方は、イラストにより描かれたものであることを特徴とする。
【０００９】
更に、シートの大きさが、ペット用骨壺のサイズに合わせたことを特徴とする。
【考案の効果】
【００１０】
本考案によれば、骨壺とシートを別途、需要者が購入できるので、予め写真等が印刷された骨壺を購入することよりも、選択の幅が広がる。また、一旦、貼ったシートであっても、後日、取り外して、別のシートを貼ることで、新鮮さのあるペットを偲ぶ機会が訪れる。
【００１１】
本考案によれば、背景画を加えることで、骨壺全体が無味乾燥なものではなくなるし、イラストも選択に入れることで、柔らかいイメージを出すことができる。
【００１２】
本考案によれば、骨壺の大きさに合わせたサイズのシートを提供することで、シートを骨壺に貼った場合のバランスを良くすることができる。
【図面の簡単な説明】
【００１３】
【図１】本考案の実施形態を示す平面図である。
【図２】変形例の要部を示す平面図である。
【図３】ペット用骨壺の大きさに対応する大きさのシート部のイメージ図である。
【図４】シート部の構造を示す側面図である。
【考案を実施するための形態】
【００１４】
以下、本考案の実施形態について図面を参照しながら説明する。ただし、本考案は、これに限定されるものではない。なお、図面は、見やすくするために適宜縮尺を変更している。
【００１５】
図１は、本考案の実施形態を示す平面図である。図１に示すように、実施形態に係るペット用骨壺に貼るシート（以下、単に「シート」という。）１００は、粘着性また可燃性のシート部１０を備える。シート部１０の表面１０ａには、予め用意された複数の背景画から選択された任意の背景画１２が印刷され、同時に、生前のペットの画像１１が印刷されている。このように構成されるシート１００は、ペット用骨壺Ｕ（図３参照）の側面に貼り付けられて使用される。
【００１６】
ペットの画像１１は、シート部１０の表面１０ａに設けられ背景画１２から抜かれた円の領域に印刷されている。画像１１は、ペットとして飼われていた猫の生前の写真である。なお、表面１０ａにおいて、このような背景画１２から抜かれた領域を設けるか否かは任意であり、画像１１は背景画１２の上からそのまま重ねるように印刷されてもよい。当該変形事項については、後述する変形例においても同様に適用可能である。また、図１に示す画像１１は、猫の写真であるが、ペットが猫以外の動物である場合には当該動物の写真となる。
【００１７】
背景画１２は、山を被写体として撮影された写真であり、シート部１０の表面１０ａにおいてペットの画像１１を囲む円の領域を除く全ての領域に印刷されている。なお、背景画１２としては、任意に選択可能であり、例えば、フォーマル、ポップ、ゴージャス、シック、レトロなど、種々の画像が採用可能であり、シート１００を様々なイメージに仕上げることができる。また、背景画１２の被写体についても、山に限定されず任意に選択可能である。なお、背景画１２は、シート部１０の表面１０ａにおいてペットの画像１１を囲む円の領域を除く領域のうち一部の領域に印刷されてもよい。ペットの画像１１及び背景画１２の解像度や大きさは、シート部１０の表面１０ａの大きさに対応して設定される。
【００１８】
図２は、実施形態の要部の変形例を示す平面図である。図２（ａ）に示すように、シート部１０の表面１０ａには、背景画１２から抜かれた四角形の領域内に犬のイラスト（ペットの画像）２１１が印刷されている。このように、シート１００において、シート部１０の表面１０ａに印刷されるペットの画像１１としては、写真に代えてイラスト２１１が採用されてもよい。また、表面１０ａにおいて背景画１２から抜かれかつペットの画像１１が印刷される領域は、円に代えて四角形であってもよく、四角以外の多角形などの任意の形状が採用可能である。
【００１９】
図２（ｂ）に示すように、シート部１０の表面１０ａには、海が描かれたイラスト（背景画）２１２が印刷されている。このように、表面１０ａに印刷される背景画１２としては、写真に代えてイラスト２１２が採用されてもよい。また、背景画１２において描かれる対象については任意に選択可能である。
【００２０】
図３は、ペット用骨壺の大きさ（寸法）に合わせたシート部１０（シート１００）を示すイメージ図である。本考案のシート１００のシート部１０の寸法は、シート１００が貼付されるペット用骨壺のサイズに応じて適宜設定される。図３（ｂ）に示すように、実施形態に係るシート部１０は、ペット用骨壺Ｕの側面に合わせた大きさに形成されている。また、図３（ａ）に示すように、骨壺Ｕよりも大きい寸法の骨壺Ｕ１に用いられるシートでは、シート部１０Ａは当該骨壺Ｕ１の側面を被覆可能にシート部１０よりも大きい寸法に形成される。一方、図３（ｃ）に示すように、当該骨壺Ｕよりも小さい寸法の骨壺Ｕ２に用いられるシートでは、シート部１０Ｂは当該骨壺Ｕ２の側面に合わせて、シート部１０よりも小さい寸法に形成される。このように本考案のシート１００は、ペット用骨壺Ｕ等のサイズに対応して形成され、予め用意される。
【００２１】
図４（ａ）は、シート部１０の構造を示し、展開した状態のシート部１０の側面図である。図４（ａ）に示すように、シート部１０は、本体部１０ｂとのり付け部分１０ｃとを有している。本体部１０ｂの一方の主面（表面）１０ａには、図示しないがペットの画像１１及び背景画１２が印刷されている。本体部１０ｂの他方の主面（裏面）には、のり付け部分１０ｃが配置されている。のり付け部分１０ｃは粘着性を有しており、本体部１０ｂはのり付け部分１０ｃを介してペット用骨壺Ｕの側面に貼り付けられる。
【００２２】
図４（ｂ）は、実施形態に係るシート部１０の変形例を示し、図４（ａ）と同様の側面図である。図４（ｂ）に示すように、変形例に係るシート部２１０は、熱伝導型のシートであり、ドライヤー等を使用して加熱させた状態でペット用骨壺Ｕに貼りつけられる。
【００２３】
以上、本考案の実施形態について説明したが、本考案は、上記した説明に限定されるものではなく、本考案の要旨を逸脱しない範囲において種々の変更が可能である。例えば、ペット用骨壺Ｕにおいてシート１００が貼り付けられる部分は、骨壺Ｕの側面全体を被覆するように側面の全領域であってもよいし、骨壺Ｕの側面の一部の領域であってもよいし、骨壺Ｕの上面を含んでもよい。また、ペットの画像１１及び背景画１２のいずれか一方又は双方は、シート部１０の表面１０ａに代えて裏面（シート部１０において表面１０ａとは反対側の面）に印刷されてもよい。この場合、シート部１０としては、裏面に印刷された画像１１及び背景画１２が表面１０ａ側から視認可能な透明あるいは半透明の材料から形成される。
【符号の説明】
【００２４】
Ｕ，Ｕ１，Ｕ２・・・ペット用骨壺
１００・・・ペット用骨壺に貼るシート
１１・・・ペットの画像
１２・・・背景画
【図１】
0003204093.tif 000003
【図２】
0003204093.tif 000004
【図３】
0003204093.tif 000005
【図４】
0003204093.tif 000006